(57)【要約】      （修正有） 【課題】ワームが脱落しにくいと共に容易に形成することが可能なワーム固定構造を提供する。【解決手段】釣り針１２にワーム２０を固定するためのワーム固定構造であって、釣り針に、可撓性を有する直円筒状チューブ材１５を挿入し接着剤により固定してワーム固定部２４を形成し、ワーム固定部にワームを固定する。接着剤は瞬間接着剤であり、チューブ材は、端面部と周面部とが直角又は鋭角を以て形成され、合成樹脂製又はゴム製であることが好ましい。【選択図】図３
0003196431.tif 000002
【実用新案登録請求の範囲】
【請求項１】
釣り針にワームを固定するためのワーム固定構造であって、可撓性を有する直円筒状チューブ材を接着剤により固定することを特徴とするワーム固定構造。
【請求項２】
上記接着剤は瞬間接着剤であることを特徴とする請求項１記載のワーム固定構造。
【請求項３】
上記チューブ材は長尺のチューブを所定の長さ寸法により径方向に切断して形成されていることを特徴とする請求項１記載のワーム固定構造。
【請求項４】
上記チューブ材は、端面部と周面部とが直角又は鋭角を以て形成されていることを特徴とする請求項１記載のワーム固定構造。
【請求項５】
上記チューブ材は、合成樹脂製又はゴム製であることを特徴とする請求項  １記載のワーム固定構造。
【請求項６】
針部と上記針部の後端部に設けられた錘部とを備えたジグヘッドの針部に合成樹脂製のチューブ材を接着剤により固定することを特徴とする請求項１記載のワーム固定構造。
【考案の詳細な説明】
【技術分野】
【０００１】
本考案はワーム固定構造の改良に関する。
【背景技術】
【０００２】
一般に、ルアーフィッシングにおいては、合成樹脂製又はラバー製のワームが釣針やジグヘッドに装着されて使用される場合がある。ジグヘッドは、錘部と錘部に固定されたＪ字状の針部とからなり、ワームを針部に刺して固定することにより使用されている。
【０００３】
このようなワームをフックに固定する場合、単に、針部にワームを突き刺しただけでは脱落のおそれがあることから、より確実にワームを固定するために、
例えば、アジ用又はメバル用のジグヘッドの場合には、針部の胴部に溶融した合成樹脂を少量付着させて球状に固化形成してワーム固定部を形成していた。
【０００４】
しかしながら、このように、針部に合成樹脂を付着させてワーム固定部を形成する場合には、溶融した合成樹脂を針部に盛り付けて固化させる必要があり、多数の、ワーム固定部が装着されたジグヘッドを製造する場合には、樹脂の硬化に時間がかかることから合成樹脂の固化作業が煩雑であると共に、多数の製品において均一な形状のワーム固定部を形成することが困難であり、さらに、釣りの際にワームに喰いついた魚が引っ張ったような場合には、針部に形成されたワーム固定部が針部から剥離して脱落してしまう場合もある、という欠点があった。
【０００５】
また、固化した合成樹脂は球状になることから、周面は丸みを帯びることになりワームを装着した場合であっても、しっかりと係合できず、僅かな引張力が作用した場合であってもワームが抜けて脱落しやすい、という欠点もあった。
また、従来、糸状の金属製線材をジグヘッドの針部の胴部にスパイラル状に巻き付けてワームの固定構造を形成したジグヘッドもあった。
しかしながら、このようなワーム固定構造にあっては、金属製線材は円弧を描いて連設されるものであり、輪郭形状は丸みを帯びることから、上記同様に、ワームを装着した場合に抜けやすく脱落してしまう場合がある、という欠点があった。
【０００６】
そこで、従来、例えば、特許文献１には、釣針の軸部に凸部を設け、上記凸部に接頭円錐台形状の固定部を取り付けるワーム固定構造が提案されていた。このような従来のワーム固定構造の場合には、ワームは凸部に係合固定されることから、引っ張られた場合であっても簡単に抜け落ちる可能性は低い。
しかしながら、この様な従来のワーム固定構造にあっては、固定部の脱落を防止するために、軸部に凸部が形成された針を準備する必要があり、ジグヘッドの製造コストが嵩む、という不具合があった。
【特許文献１】特開平１１−１５１０５４号公報
【考案の開示】
【考案が解決しようとする課題】
【０００７】
本考案はこのような従来からの不具合を解決するためのものであって、その課題は、ワームが脱落しにくいと共に容易に形成することが可能なワーム固定構造を提供することにある。
【課題を解決するための手段】
【０００８】
上記課題達成のため、請求項１記載の考案にあっては、釣り針にワームを取り付けるためのワーム固定構造であって、可撓性を有する直円筒状チューブ材を接着剤により固定することを特徴とする。
従って、請求項１記載の考案にあっては、接着剤により可撓性を有するチューブ材が釣り針に固定されてワーム固定構造が形成される。
【０００９】
請求項２記載の考案にあっては、上記接着剤は瞬間接着剤であることを特徴とする。
【００１０】
請求項３記載の考案にあっては、上記チューブ材は長尺のチューブを所定の長さ寸法により径方向に切断して形成されていることを特徴とする。
【００１１】
請求項４記載の考案にあっては、上記チューブ材は、端面部と周面部とが直角又は鋭角を以て形成されていることを特徴とする。
【００１２】
請求項５記載の考案にあっては、針部と上記針部の後端部に設けられた錘部とを備えたジグヘッドの針部に合成樹脂製のチューブを接着剤により固定することを特徴とする。
【考案の効果】
【００１３】
請求項１記載の考案にあっては、接着剤により可撓性を有する直円筒状チューブ材が針に固定されてワーム固定構造が形成されることから、溶融した合成樹脂を針部に盛り付けて固化させる作業が煩雑である、という従来のワーム固定構造の欠点を解消することができ、ワーム固定部の形成作業を容易かつ迅速に行うことができる。
【００１４】
また、請求項１記載の考案にあっては、軸部に凸部が形成された針を準備する必要もないことから、ワームの固定構造の製作コストを低減することが可能となる。また、上記チューブ材は可撓性を有することから、針先部から挿通させた場合であっても、釣り針の湾曲形状に沿って変形するため容易に装着することができる。
【００１５】
さらに、本考案にあっては、あらかじめ準備された合成樹脂製のチューブを接着剤により針部に固定するように構成されていることから、多数の製品、例えば、均一な形状のワーム固定構造を有する多数のジグヘッド又はフックを容易に製造することができる。
【００１６】
請求項２記載の考案にあっては、上記接着剤は瞬間接着剤であることから、上記チューブを瞬時にかつ強力に針の軸部に固定することができる。また、チューブは瞬間接着剤により強力に軸部に固定されていることから、例えば、ワームに喰いついた魚が引っ張る等、釣りの過程において様々な力が作用した場合であっても、チューブ材からなるワーム固定部が軸部から剥離することはない。
【００１７】
請求項３記載の考案にあっては、上記直円筒状チューブ材は長尺のチューブを所定寸法に亘って径方向に切断して形成されていることから、直円筒状チューブ材からなるワーム固定部を容易に作成することができる。
【００１８】
請求項４記載の考案にあっては、上記直円筒状チューブ材は、端面部と周面部とが直角又は鋭角を以て形成されていることから、ワームが装着された場合にはチューブの端縁部にワームがしっかりと係合するため、脱落しにくいワームの固定構造を提供することができる。
【００１９】
請求項５記載の考案にあっては、上記チューブ材は、合成樹脂製又はゴム製であることから可撓性に富み、針又はジグヘッドの針部に容易に装着することができる。
請求項６記載の考案にあっては、針部と上記針部の後端部に設けられた錘部とを備えたジグヘッドの針部に合成樹脂製のチューブを接着剤により固定するように構成されており、ジグヘッドの針部に容易かつ迅速に、均一の形状のワーム固定部を備えたワーム固定構造を形成することができる。
【図面の簡単な説明】
【００２０】
【図１】本考案に係るワーム固定構造の一実施の形態を示す側面図である。
【図２】本考案に係るワーム固定構造の一実施の形態を示す分解側面図である。
【図３】本考案に係るワーム固定構造を使用してワームを固定した状態を示す側面図である。
【考案を実施するための最良の形態】
【００２１】
以下、添付図面に示す実施の形態に基づき、本考案に係るワーム固定構造をジグヘッドに適用する場合を例に詳細に説明する。
図１に示すように、本実施の形態に係るワーム固定構造１０は、錘部１１と針部１２とからなるジグヘッド１３にワームを固定するために使用される。
【００２２】
本実施の形態にあっては、ワーム固定構造１０は、針部１２に装着された合成樹脂製の直円筒状のチューブ材１５からなり、針部１２には瞬間接着剤により固定されている。
図２に示すように、本実施の形態に係るワーム固定構造１０を形成する場合には、予め、長尺のチューブを所定の長さ寸法（例えば、１．５ｍｍ±０．５ｍｍ）により径方向に切断してワーム固定構造を構成するチューブ材１５を作成しておく。この場合、チューブの外表面には発行塗料が塗布されているものであることが望ましい。
切断にあたっては、チューブの軸方向に対して直角方向に切断する。その結果、チューブ材１５の端面部２１と周面部２２とは略直角を以て形成されている。また、チューブ材１５の管状空隙部は針部１２の径寸法よりもやや小さく形成され、針部１２に圧入することができるように構成されている。
【００２３】
従って、チューブ材１５を針部１２に針先部１６から挿入し、先曲げ部１７を介して胴部１８の基端部まで移動させ、その後、所定の治具を使用して針部１２を把持固定した状態でチューブ材１５を治具の位置まで移動させる。
この状態で、チューブ材１５の錘部１１側の軸部表面に瞬間接着剤を少量塗布すると共に、針部１２を冶具から取り外し、チューブ材１５の針先部１６側に同様に少量、瞬間接着剤を塗布し、１時間以上乾燥させる。
これによりチューブ材１５は針部１２の胴部１８において、針先部１６の下方にチューブ材１５が固定されワーム固定構造１０が形成される。
【００２４】
図３に示すように、本実施の形態に係るワーム固定構造１０を利用してワーム２０を固定する場合には、例えば、軟質の合成樹脂製のワーム２０の先端部から針先部１６に圧入して、ワーム２０を先曲げ部１７、胴部へ１８へと移動させて、チューブ材１５により形成されたワーム固定部２４に被覆させるようにして胴部１８に配設する。
【００２５】
この場合、チューブ材１５の端面部２１と周面部２２とが直角を以て形成されていることから、軟質の合成樹脂製のワーム２０の内肉部はチューブ材１５の端面部２１及び周面部２２により形成される略直角の端縁部２３にしっかりと係合するため、魚が喰いつて引っ張った場合であっても、ワーム２０は針部１２から抜けにくい。
【００２６】
従って、本実施の形態に係るワーム固定構造１０にあっては、予めチューブを短く所定寸法に亘って切断して形成したワーム固定部２４を、ジグヘッド１３の針部１２に瞬間接着剤により固定して形成するように構成されていることから、従来のワーム固定構造とは異なり、ワーム固定構造付きのジグヘッド１３を多数製造する場合であっても、形態が均一のワーム固定部２４を有するジグヘッド１３を容易に製造することができる。
【００２７】
また、使用した場合に魚がワームに喰いつき、引っ張ったような場合であってもワーム固定部２４は瞬間接着剤により強固に針部１２に固定されていることから、釣り時に、ワームに食いついた魚に引っ張られた場合であっても、ワーム固定部２４が簡単には針部１２から剥離することのないワーム固定構造を提供することができる。
【００２８】
さらに、本実施の形態に係るワーム固定構造１０にあっては、ワーム固定部２４を構成するチューブ材１５の端縁部２３は略直角に形成され、ワーム２０にしっかりと係合しており、ワームの抜け落ちを有効に防止することができる。
【００２９】
また、チューブ材１５を瞬間接着剤により針部１２へ固定するため、ワーム固定構造１０を形成するための作業時間を大幅に短縮することができると共に作業工数を減らすことができ、さらに、簡単な作業によりワーム固定構造を形成することが可能となるため、ワーム固定構造の形成作業そのものを簡素化することができる。
【００３０】
なお、本実施の形態に係るワーム固定構造１０はジグヘッド１３に適用する場合を例に説明したが、本実施の形態に限定されず、一般のフックに適用してもよい。  
【産業上の利用可能性】
【００３１】
本考案はワーム固定構造に関することから、広く産業上の利用可能性を有している。
【符号の説明】
【００３２】
１０  ワーム固定構造
１１  錘部
１２  針部
１３  ジグヘッド
１４  ワーム
１５  直円筒状チューブ材
１６  針先部
１７  先曲げ部
１８  胴部
１９  チモト
２０  ワーム
２１  端面部
２２  周面部
２３  端縁部
２４  ワーム固定部
【図１】
0003196431.tif 000003
【図２】
0003196431.tif 000004
【図３】
0003196431.tif 000005
【手続補正書】
【提出日】平成27年1月8日(2015.1.8)
【手続補正１】
【補正対象書類名】実用新案登録請求の範囲
【補正対象項目名】請求項１
【補正方法】変更
【補正の内容】
【請求項１】
釣り針にワームを固定するためのワーム固定構造であって、上記釣り針には、可撓性を有する直円筒状チューブ材が挿入されて接着剤により固定してワーム固定部を形成し、上記ワーム固定部に上記ワームを固定可能であることを特徴とするワーム固定構造。
【手続補正２】
【補正対象書類名】明細書
【補正対象項目名】０００８
【補正方法】変更
【補正の内容】
【０００８】
上記課題達成のため、請求項１記載の考案にあっては、釣り針にワームを取り付けるためのワーム固定構造であって、上記釣り針には、可撓性を有する直円筒状チューブ材が挿入されて接着剤により固定してワーム固定部を形成し、上記ワーム固定部に上記ワームを固定可能であることを特徴とする。
従って、請求項１記載の考案にあっては、接着剤により可撓性を有するチューブ材が挿入されて釣り針に固定されてワーム固定部が形成されることによりワーム固定構造が形成される。